(57)【要約】【課題】使用者がビデオライトモードの解除方法を容易に理解することができる撮像装置を提供する。【解決手段】制御マイコン１５は、ビデオライトモードがＯＮであることが検出されたか否かを判別する（Ｓ１）。ビデオライトモードがＯＮであることが検出された場合、制御マイコン１５はＬＣＤパネル１２を全白表示に切り替える（Ｓ２）。ＬＣＤパネル１２が全白表示に切り替えられたビデオライトモードにおいて、制御マイコン１５は、キー操作検出回路１７により何らかのキー操作のあったことが検出されたか否かを判別する（Ｓ３）。キー操作のあったことが検出された場合、制御マイコン１５は、ビデオライトモードを解除し、ＬＣＤパネル１２の全白表示を終了させる（Ｓ４）。一方、キー操作が検出されない場合、制御マイコン１５は、ＬＣＤパネル１２の全白表示を保持する。【選択図】図２
2009130540.tif 000002
【特許請求の範囲】
【請求項１】
被写体を撮像する撮像装置であって、
前記撮像された被写体の映像表示あるいは全白表示を行う表示手段と、
前記表示手段をビデオライトとして使用するためのビデオライトモードを選択する選択手段と、
前記撮像装置を制御するための所定の入力操作が行われたことを検出する操作検出手段と、
前記ビデオライトモードが選択された場合、前記表示手段を全白表示に切り替え、一方、前記表示手段が全白表示を行っている時、前記所定の入力操作が行われたことが検出された場合、前記ビデオライトモードを解除して前記表示手段による全白表示を終了させる表示制御手段とを備えたことを特徴とする撮像装置。
【請求項２】
前記表示手段が前記被写体側あるいは撮影者側に向いたことを検出する方向検出手段と、
前記撮像された被写体の映像表示を行う第２の表示手段と、
前記第２の表示手段によって前記映像表示が行われる映像に所定の画像を重畳する重畳手段とを備え、
前記表示制御手段は、前記表示手段が全白表示を行っている時、前記表示手段が前記被写体側に向いたことが検出された状態で、前記所定の入力操作が行われたことが検出された場合、前記ビデオライトモードを解除して前記表示手段による全白表示を終了させるとともに、前記第２の表示手段による前記映像表示を行わせ、
前記重畳手段は、前記第２の表示手段によって映像表示が行われる映像に前記表示手段の全白表示が解除されたことを示す画像を重畳することを特徴とする請求項１記載の撮像装置。
【請求項３】
前記表示手段が前記被写体側あるいは撮影者側に向いたことを検出する方向検出手段と、
前記撮像された被写体の映像表示を行う第２の表示手段と、
前記第２の表示手段によって前記映像表示が行われる映像に所定の画像を重畳する重畳手段とを備え、
前記表示制御手段は、前記表示手段が全白表示を行っている時、前記表示手段が前記被写体側に向いたことが検出された状態で、前記所定の入力操作が行われたことが検出された場合、前記第２の表示手段による前記映像表示を行わせ、
前記重畳手段は、前記第２の表示手段によって映像表示が行われる映像に前記表示手段の全白表示の解除確認を示す画像を重畳し、
前記画像が重畳された後、更に前記所定の入力操作が行われたことが検出された場合、前記表示制御手段は、前記ビデオライトモードを解除して前記表示手段による全白表示を終了させることを特徴とする請求項１記載の撮像装置。
【請求項４】
前記表示手段の開閉状態を検出する開閉検出手段と、
前記表示手段が反転して前記被写体側あるいは撮影者側に向いたことを検出する方向検出手段と、
前記所定の入力操作として前記映像の記録を開始または停止するための記録操作が最後に行われてからの時間を計時する計時手段とを備え、
前記表示制御手段は、前記表示手段が全白表示を行っている時、前記映像の記録中に前記記録操作が行われたことが検出された場合、前記記録を停止し、前記ビデオライトモードを解除して前記表示手段による全白表示を終了させ、その後、前記計時手段によって計時される時間が所定時間を経過せず、かつ前記表示手段の開閉動作および反転動作が検出されない状態で、前記記録操作が行われたことが検出された場合、前記ビデオライトモードに復帰して前記表示手段による全白表示を再開させることを特徴とする請求項１記載の撮像装置。
【請求項５】
被写体を撮像する撮像装置の表示制御方法であって、
前記撮像装置の表示手段が前記撮像された被写体の映像表示あるいは全白表示を行う表示ステップと、
前記撮像装置の選択手段が前記表示手段をビデオライトとして使用するためのビデオライトモードを選択する選択ステップと、
前記撮像装置の操作検出手段が前記撮像装置を制御するための所定の入力操作が行われたことを検出する操作検出ステップと、
前記撮像装置の表示制御手段が、前記ビデオライトモードが選択された場合、前記表示手段を全白表示に切り替え、一方、前記表示手段が全白表示を行っている時、前記所定の入力操作が行われたことが検出された場合、前記ビデオライトモードを解除して前記表示手段による全白表示を終了させる表示制御ステップとを有することを特徴とする表示制御方法。
【発明の詳細な説明】
【技術分野】
【０００１】
本発明は、被写体を撮像する撮像装置及びその表示制御方法に関する。
【背景技術】
【０００２】
従来、撮像装置である各種カメラにおいて、被写体に対する照明光源として、内蔵ライトや、カメラ本体に対して着脱自在に設けられた外付けライトである外部照明等が一般的に用いられている。また、液晶パネルを全白にしてその光を被写体に向けることで、ビデオライトとして使用することが知られている（特許文献１参照）。
【０００３】
また、ビデオライトモード検出回路から制御マイコンにビデオライトモードのＯＮ信号を入力することにより、ＬＣＤパネルを全白表示に切り替えてビデオライトとして利用するビデオカメラが提案されている。
【特許文献１】特開平１０−１２６６５５号公報
【発明の開示】
【発明が解決しようとする課題】
【０００４】
しかしながら、上記従来の撮像装置では、ビデオライトモード検出回路でビデオライトモードのＯＮが検出されると、ＬＣＤパネルが全白表示になるので、ビデオライトモードの解除方法が分りにくかった。特に、誤操作によりビデオライトモードに移行した場合、故障と勘違いしてしまいかねなかった。さらに、対面状態でビデオライトモードを解除した場合、全白表示が終了しているのか否かが分りにくかった。
【０００５】
そこで、本発明は、上記問題点に鑑みなされたものであり、使用者がビデオライトモードの解除方法を容易に理解することができる撮像装置及びその表示制御方法を提供することを目的とする。
【課題を解決するための手段】
【０００６】
上記目的を達成するために、本発明の撮像装置は、被写体を撮像する撮像装置であって、前記撮像された被写体の映像表示あるいは全白表示を行う表示手段と、前記表示手段をビデオライトとして使用するためのビデオライトモードを選択する選択手段と、前記撮像装置を制御するための所定の入力操作が行われたことを検出する操作検出手段と、前記ビデオライトモードが選択された場合、前記表示手段を全白表示に切り替え、一方、前記表示手段が全白表示を行っている時、前記所定の入力操作が行われたことが検出された場合、前記ビデオライトモードを解除して前記表示手段による全白表示を終了させる表示制御手段とを備えたことを特徴とする。
【０００７】
本発明の撮像装置の表示制御方法は、被写体を撮像する撮像装置の表示制御方法であって、前記撮像装置の表示手段が前記撮像された被写体の映像表示あるいは全白表示を行う表示ステップと、前記撮像装置の選択手段が前記表示手段をビデオライトとして使用するためのビデオライトモードを選択する選択ステップと、前記撮像装置の操作検出手段が前記撮像装置を制御するための所定の入力操作が行われたことを検出する操作検出ステップと、前記撮像装置の表示制御手段が、前記ビデオライトモードが選択された場合、前記表示手段を全白表示に切り替え、一方、前記表示手段が全白表示を行っている時、前記所定の入力操作が行われたことが検出された場合、前記ビデオライトモードを解除して前記表示手段による全白表示を終了させる表示制御ステップとを有することを特徴とする。
【発明の効果】
【０００８】
本発明の請求項１に係る撮像装置は、ビデオライトモードで表示手段が全白表示を行っている時、所定の入力操作が行われると、ビデオライトモードを解除し、全白表示を終了させる。これにより、使用者がビデオライトモードの解除方法を容易に理解することができる。従って、使用者の利便性が向上する。
【０００９】
請求項２に係る撮像装置は、ビデオライトモードで表示手段が全白表示を行っている時、撮像装置が被写体側に向いている対面状態で所定の入力操作が行われると、ビデオライトモードを解除し、第２表示手段に全白表示が終了したことを表示させる。これにより、対面状態でビデオライトモードが解除された場合でも、全白表示が終了したことを容易に理解することができる。また、使用者が誤操作でビデオライトモードを解除した際にも、全白表示の終了を容易に理解することができる。
【００１０】
請求項３に係る撮像装置は、ビデオライトモードで表示手段が全白表示を行っている時、撮像装置が被写体側に向いている対面状態で所定の入力操作が行われると、第２表示手段に表示手段の全白表示を終了させるか否かの確認表示を行う。終了させる場合、再度、所定の入力操作が行われたことによって、撮像装置は、ビデオライトモードを解除し、全白表示を終了させる。これにより、使用者の誤操作が低減する。
【００１１】
請求項４に係る撮像装置は、ビデオライトモードで表示手段が全白表示を行っている時、記録中に記録操作が行われると、記録を停止すると同時にビデオライトモードを解除する。その後、所定時間が経過せず、開閉および反転動作が行われない状態で、再び記録操作が行われると、撮像装置はビデオライトモードに復帰し、表示手段に全白表示を行わせる。これにより、記録動作を行う際、使用者の利便性が向上する。
【発明を実施するための最良の形態】
【００１２】
本発明の撮像装置及びその表示制御方法の実施の形態について図面を参照しながら説明する。本実施形態の撮像装置はビデオカメラに適用される。
【００１３】
［第１の実施形態］
図１は第１の実施形態におけるビデオカメラの構成を示す斜視図である。ビデオカメラは、ビデオカメラ本体１の前部にレンズ４、その後部にカラービューファインダ（ＣＶＦ）６、その側部に液晶モニタ８等を有する。液晶モニタ８の前面には、ＬＣＤパネル１２が配置されている。
【００１４】
ビデオカメラ本体１は、レンズ４やＣＣＤ（図示せず）などを含む撮像部を内蔵し、映像・音声信号の記録・再生可能な機器本体である。なお、本実施形態では、撮像装置としてビデオカメラを用いたが、映像信号の記録・再生が可能なものであればよく、デジタルスチルカメラなどが用いられてもよい。
【００１５】
液晶モニタ８は、ヒンジ部７を介してビデオカメラ本体１に保持され、ＬＣＤパネル１２は再生映像や撮影映像を表示可能である。また、ＬＣＤパネル１２の背部には、ＬＣＤバックライト１３が設けられている。ヒンジ部７は、ビデオカメラ本体１に対し、液晶モニタ８を図中矢印Ａ方向に開閉自在に保持するとともに、図中矢印Ｂ方向に回動自在に保持する。ＬＣＤパネル１２は、一般に全白（透過率が最大の状態）になると、ＬＣＤパネル１２から出てくる光量が最大となり、あたかもビデオライトを照射しているときと同じ状態となる。この現象を積極的に利用することにより、ＬＣＤパネル１２をビデオライトとして機能させることができる。
【００１６】
また、ビデオカメラ本体１の後部側方には、操作キー９が設けられている。この操作キー９は、ビデオカメラの設定をＯＮ／ＯＦＦに操作するための切替スイッチであり、本実施形態では、ビデオライトモードの選択・解除にも使用される。
【００１７】
図２は主にＬＣＤパネル１２の制御に係る部分の制御回路の構成を示す図である。この制御回路はビデオカメラ本体１の内部に設けられる。この制御回路は、ＬＣＤパネル１２を駆動するＬＣＤドライブ回路１１、カラービューファインダ６に配置されたＣＶＦパネル２０を駆動するＣＶＦドライブ回路１９、およびビデオカメラを制御する制御マイコン１５を有する。また、制御回路は、操作キー９等によるキー操作の有無を検出するキー操作検出回路１７を有する。また、制御回路は、各種の入力操作によりビデオライトモードのＯＮ／ＯＦＦを検出するビデオライトモード検出回路１６、およびＬＣＤバックライト１３に電源供給を行う電源回路１８を有する。また、制御回路は、撮像素子、ＣＤＳ回路、Ａ／Ｄ変換器等（図示せず）を有し、撮影した画像データを出力する撮像部２１、撮影した画像データに対し必要な信号処理を行う信号処理回路２２、および信号処理された画像データを記憶する画像メモリ２３を有する。
【００１８】
制御マイコン１５は、ＬＣＤパネル１２およびＣＶＦパネル２０における映像表示のＯＮ／ＯＦＦを制御する。また、ビデオライトモード検出回路１６は、例えば撮影者による所定のメニュー操作やキー操作により設定あるいは選択されるビデオライトモードのＯＮ／ＯＦＦを検出する。ビデオライトモードのＯＮ状態が検出されると、ＬＣＤパネル１２を全白表示にすることができる。ＬＣＤドライブ回路１１およびＣＶＦドライブ回路１９は、それぞれ制御マイコン１５からの制御信号に従って、別途入力される映像信号をＬＣＤパネル１２およびＣＶＦパネル２０に表示させるようにそれらを駆動する。なお、ＣＶＦパネル２０は第２の表示手段に相当する。
【００１９】
上記構成を有する撮像装置であるビデオカメラの動作について説明する。まず、ビデオカメラは、レンズ４を介して入射される被写体の光信号を、ビデオカメラ本体１に内蔵されたＣＣＤ（図示せず）により電気信号に変換して映像信号を得る。この映像信号は、信号処理回路２２で各種信号処理が施されると、ＬＣＤパネル１２に表示される。また、このとき録画ボタンを押すことで、内部に装填されたビデオテープなどの記録媒体に映像信号および音声信号が記録される。
【００２０】
前述したように、ビデオカメラ本体１には、撮影中の映像や再生した映像を表示するためのＬＣＤパネル１２が設けられている。このＬＣＤパネル１２は、ヒンジ部７によって図１の矢印Ａ方向に開閉自在かつ図１の矢印Ｂ方向に回動自在である。すなわち、ＬＣＤパネル１２は、撮影者側に向いた通常撮影状態と、被写体側つまりレンズ４と同方向に向いた対面撮影状態とに回動自在である。
【００２１】
ＬＣＤパネル１２をビデオライトとして使用していない状態では、通常撮影状態でも対面撮影状態でも、映像信号が表示されている。ここで、図１の状態を正転状態、この正転状態から図１の矢印Ａ方向にＬＣＤパネル１２を閉じた状態を正転収納状態と言うこととする。また、図１の状態（正転状態）から矢印Ｂ方向にＬＣＤパネル１２を被写体側に回転した状態を対面状態（反転状態）、この対面状態から図１の矢印Ａ方向にＬＣＤパネル１２を閉じた状態を反転収納状態と言うこととする。
【００２２】
つぎに、ＬＣＤパネル１２をビデオライトとして使用する際の動作について説明する。まず、ビデオカメラ本体１の電源を投入すると、ビデオカメラが撮影モードである場合、レンズ４から入射して光電変換された映像信号はＬＣＤパネル１２に表示される。
【００２３】
そして、ビデオライトモード検出回路１６からのビデオライトモードＯＮ信号が制御マイコン１５に入力されると、制御マイコン１５からＬＣＤドライブ回路１１に対し、ＬＣＤパネル１２を全白に切り替えてビデオライトとして利用するように制御信号が送られる。
【００２４】
ＬＣＤドライブ回路１１は、制御マイコン１５からの制御信号により、ＬＣＤパネル１２に映像信号を出力することを中止し、その代わりに、ＬＣＤパネル１２が全白表示になるような信号を送る。そして、このＬＣＤパネル１２を被写体側に向けて対面状態にすると、ＬＣＤパネル１２をビデオライトとして使用することができる。
【００２５】
このように、ＬＣＤパネル１２からの光量が最大となって被写体を照射し、ビデオライトの機能を果たすことができる。また、必要に応じて、全白にしたときのＬＣＤパネル１２の光量をより増大させるため、ＬＣＤバックライト１３の照度を上げるようにすることも可能である。すなわち、ビデオライトモード検出回路１６がＯＮを検出することで、制御マイコン１５から電源回路１８に制御信号が入力され、この電源回路１８の電圧をアップすることにより、ＬＣＤバックライト１３の照度を上げることがきる。なお、ＬＣＤバックライト１３としては、直下形蛍光管、導光板付き蛍光管など、種々の方式のものを用いることができる。
【００２６】
つぎに、ビデオライトモードの解除方法について説明する。図３はビデオカメラの動作手順を示すフローチャートである。この動作プログラムは制御マイコン１５内のＲＯＭ（図示せず）に格納されており、制御マイコン１５内のＣＰＵによって実行される。
【００２７】
まず、制御マイコン１５は、ビデオライトモード検出回路１６によってビデオライトモードがＯＮであることが検出されたか否かを判別する（ステップＳ１）。ビデオライトモードがＯＦＦであることが検出された場合、制御マイコン１５はそのまま本処理を終了する。
【００２８】
一方、ビデオライトモードがＯＮであることが検出された場合、制御マイコン１５はＬＣＤパネル１２を全白表示に切り替える（ステップＳ２）。ＬＣＤパネル１２が全白表示に切り替えられたビデオライトモードにおいて、制御マイコン１５は、キー操作検出回路１７により何らかのキー操作のあったことが検出されたか否かを判別する（ステップＳ３）。ここで、何らかのキー操作は、ビデオカメラを制御するためのキー操作であり、例えば操作キー９によるキー操作が挙げられる。
【００２９】
ビデオライトモードにおいて、キー操作のあったことが検出された場合、制御マイコン１５は、ビデオライトモードを解除し、ＬＣＤパネル１２の全白表示を終了させる（ステップＳ４）。この後、制御マイコン１５は本処理を終了する。一方、ステップＳ３でキー操作が検出されない場合、制御マイコン１５は、ステップＳ２の処理に戻り、ＬＣＤパネル１２の全白表示を保持する。
【００３０】
このように、第１の実施形態の撮像装置によれば、ビデオライトモードでＬＣＤパネルが全白表示を行っている時、キー操作が行われることで、ビデオライトモードが解除され、全白表示が終了する。従って、使用者がビデオライトモードの解除方法を容易に理解することができる。これにより、使用者の利便性が向上する。また、利便性のあるビデオライトモードの解除方法を提供することができる。
【００３１】
なお、上記実施形態では、キー操作の有無の判別に使用される何らかのキーとして、ビデオカメラ本体１の後部側方に配置された操作キー９が例示されたが、これに限られるものではない。例えば、ＬＣＤパネルの枠に配置された各種キーであってもよいし、ＬＣＤパネルに表示されるキーであってもよい。
【００３２】
［第２の実施形態］
第２の実施形態の撮像装置におけるビデオライトモードの解除方法について説明する。第２の実施形態の撮像装置の構成は、前記第１の実施形態とほぼ同一であるので、同一の構成要素については同一の符号を用いることでその説明を省略し、ここでは異なる構成について説明する。
【００３３】
図４は第２の実施形態における制御回路の構成を示すブロック図である。前記第１の実施形態と比べ、この制御回路には、開閉検出スイッチ３１、反転検出スイッチ３２およびＯＳＤ表示回路３３が追加されている。前述したように、ＬＣＤパネル１２は、図１の矢印Ａ方向に開閉自在であるとともに、矢印Ｂ方向に回動自在である。開閉検出スイッチ３１は、ＬＣＤパネル１２が図１の矢印Ａ方向に開閉したこと（開閉状態）を検出する。反転検出スイッチ３２は、ＬＣＤパネル１２が図１の矢印Ｂ方向に回動したこと（回動状態）を検出する。開閉検出スイッチ３１および反転検出スイッチ３２は方向検出手段に相当する。ＯＳＤ表示回路３３は、ＬＣＤパネル１２およびＣＶＦパネル２０に対してＯＳＤ表示（オンスクリーンディスプレイ表示）を可能にする。このＯＳＤ表示によって、ＬＣＤパネル１２およびＣＶＦパネル２０に表示される映像に、所定の画像（テキスト画像、各種キー画像）が重畳される。
【００３４】
図５はビデオカメラの動作手順を示すフローチャートである。この動作プログラムは制御マイコン１５内のＲＯＭ（図示せず）に格納されており、制御マイコン１５内のＣＰＵ（図示せず）によって実行される。
【００３５】
まず、制御マイコン１５は、ビデオライトモード検出回路１６によってビデオライトモードがＯＮであることが検出されたか否かを判別する（ステップＳ１１）。ビデオライトモードがＯＦＦであることが検出された場合、制御マイコン１５はそのまま本処理を終了する。
【００３６】
一方、ビデオライトモードがＯＮであることが検出された場合、制御マイコン１５はＬＣＤパネル１２を全白表示に切り替える（ステップＳ１２）。ＬＣＤパネル１２が全白表示に切り替えられたビデオライトモードにおいて、制御マイコン１５は、開閉検出スイッチ３１が開状態であり、かつ反転検出スイッチ３２が反転状態を検出した、対面状態であるか否かを判断する（ステップＳ１３）。
【００３７】
開閉検出スイッチ３１が開状態であり、かつ反転検出スイッチ３２が反転状態を検出した、対面状態である場合、制御マイコン１５は、キー操作検出回路１７により何らかのキー操作が行われたか否かを判別する（ステップＳ１４）。
【００３８】
キー操作検出回路１７により何らかのキー操作が行われたと判断した場合、制御マイコン１５は、ビデオライトモードを解除し、ＬＣＤパネル１２の全白表示を終了させる（ステップＳ１５）。さらに、制御マイコン１５は、ＣＶＦパネル２０に、ビデオライトモードを解除してＬＣＤパネル１２の全白表示を終了させた旨を表示させる（ステップＳ１６）。
【００３９】
一方、ステップＳ１４でキー操作検出回路１７によってキー操作が行われたことが検出されない場合、制御マイコン１５は、ステップＳ１２の処理に戻り、ビデオライトモードを保持し、ＬＣＤパネル１２を全白表示のままとする。また一方、ステップＳ１３で開閉検出スイッチ３１が閉状態である場合、または反転検出スイッチ３２が正転状態を検出した場合、制御マイコン１５は、ステップＳ１２の処理に戻り、ビデオライトモードを保持し、ＬＣＤパネル１２を全白表示のままとする。
【００４０】
このように、第２の実施形態の撮像装置によれば、ビデオライトモードでＬＣＤパネルが対面状態である時にキー操作が行われ、ビデオライトモードが解除されても、全白表示を解除したことがＣＶＦパネルに表示される。従って、使用者は、対面状態でビデオライトモードが解除された場合でも、全白表示が終了したことを容易に理解することができる。また、誤操作でビデオライトモードを解除した際にも、容易に全白表示の解除を理解することができる。
【００４１】
［第３の実施形態］
第３の実施形態の撮像装置におけるビデオライトモードの解除方法について説明する。第３の実施形態の撮像装置の構成は、前記第２の実施形態と同一であるので、同一の構成要素については同一の符号を用いることでその説明を省略し、ここでは異なる構成について説明する。また、前記第２の実施形態では、何らかのキー操作が行われたことでビデオライトモードを解除してＬＣＤパネル１２の全白表示を終了しているが、第３の実施形態におけるビデオライトモードの解除方法では、次のような動作が行われる。すなわち、１回目のキー操作でビデオライトモードを解除してよいか否かの確認を、ＣＶＦパネル２０に表示し、ユーザがビデオライトモードの解除もしくは続行を選択できるようにすることが行われる。
【００４２】
図６は第３の実施形態におけるビデオカメラの動作手順を示すフローチャートである。
この動作プログラムは制御マイコン１５内のＲＯＭ（図示せず）に格納されており、制御マイコン１５内のＣＰＵ（図示せず）によって実行される。なお、前記第２の実施形態と同一のステップ処理については同一のステップ番号が付されている。
【００４３】
まず、制御マイコン１５は、ビデオライトモード検出回路１６によってビデオライトモードがＯＮであることが検出されたか否かを判別する（ステップＳ１１）。ビデオライトモードがＯＦＦであることが検出された場合、制御マイコン１５はそのまま本処理を終了する。
【００４４】
一方、ビデオライトモードがＯＮであることが検出された場合、制御マイコン１５はＬＣＤパネル１２を全白表示に切り替える（ステップＳ１２）。ＬＣＤパネル１２が全白表示に切り替えられたビデオライトモードにおいて、制御マイコン１５は、開閉検出スイッチ３１が開状態であり、かつ反転検出スイッチ３２が反転状態を検出した、対面状態であるか否かを判断する（ステップＳ１３）。
【００４５】
開閉検出スイッチ３１が開状態であり、かつ反転検出スイッチ３２が反転状態を検出した、対面状態である場合、制御マイコン１５は、キー操作検出回路１７により何らかのキー操作が行われたか否かを判別する（ステップＳ１４）。
【００４６】
キー操作検出回路１７により何らかのキー操作が行われたと判断した場合、制御マイコン１５は、ＣＶＦパネル２０にビデオライトモードを解除してよいか否かの確認表示を行う（ステップＳ１４Ａ）。すなわち、ＣＶＦパネル２０には、ＯＳＤ表示により映像に重畳された、解除確認を示す画像が表示される。ここで、ユーザがビデオライトモードを解除する場合、キー操作を行うことになる。
【００４７】
そして、制御マイコン１５は、キー操作を終了するか否かを判別する（ステップＳ１４Ｂ）。キー操作を終了しない場合、制御マイコン１５は、ステップＳ１２の処理に戻る。ここで、キー操作を終了するか否かの判別としては、特定のキー操作が行われた場合、キー操作を終了し、その他のキー操作が行われた場合、キー操作を続行することが挙げられる。あるいは、ステップＳ１４のキー操作から所定時間が経過してもキー操作が行われなかった場合、キー操作を終了しない場合であると判別し、ステップＳ１２の処理に戻ってもよい。
【００４８】
一方、ステップＳ１４Ｂでキー操作を終了すると判別した場合、制御マイコン１５は、ビデオライトモードを解除し、ＬＣＤパネル１２の全白表示を終了させる（ステップＳ１５）。さらに、制御マイコン１５は、ＣＶＦパネル２０に、ビデオライトモードを解除してＬＣＤパネル１２の全白表示を終了させた旨を表示させる（ステップＳ１６）。
【００４９】
一方、ステップＳ１４でキー操作検出回路１７によってキー操作が行われたことが検出されない場合、制御マイコン１５は、ステップＳ１２の処理に戻り、ビデオライトモードを保持し、ＬＣＤパネル１２を全白表示のままとする。また一方、ステップＳ１３で開閉検出スイッチ３１が閉状態である場合、または反転検出スイッチ３２が正転状態を検出した場合、制御マイコン１５は、ステップＳ１２の処理に戻り、ビデオライトモードを保持し、ＬＣＤパネル１２を全白表示のままとする。
【００５０】
このように、第３の実施形態の撮像装置によれば、ビデオライトモードでＬＣＤパネルが対面状態である時にキー操作が行われた場合、ＣＶＦパネルにＬＣＤパネルの全白表示を終了させるか否かの確認表示が行われる。終了させる場合、キー操作を行うことによって、ビデオライトモードを解除し、全白表示を終了させるので、使用者の誤操作が低減する。
【００５１】
［第４の実施形態］
第４の実施形態の撮像装置におけるビデオライトモードの解除方法について説明する。第４の実施形態の撮像装置の構成は、前記第１の実施形態とほぼ同一であるので、同一の構成要素については同一の符号を用いることでその説明を省略し、ここでは異なる構成について説明する。
【００５２】
図７は第４の実施形態における制御回路の構成を示すブロック図である。前記第１の実施形態と比べ、この制御回路には、開閉検出スイッチ３１、反転検出スイッチ３２、トリガスイッチ３７およびタイマ３８が追加されている。開閉検出スイッチ３１は、ＬＣＤパネル１２が図１の矢印Ａ方向に開閉したことを検出する。反転検出スイッチ３２は、ＬＣＤパネル１２が図１の矢印Ｂ方向に回転したことを検出する。トリガスイッチ３７は、記録を開始または停止させるために記録操作が行われるスイッチであり、録画スイッチと同じであってもよいし、ビデオライトモードの選択・解除動作（図８参照）でのみ有効なスイッチであってもよい。本実施形態では、トリガスイッチの操作の有無が検出され、タイマ３８は、最後のトリガスイッチ３７の操作からの時間を計時可能である。
【００５３】
図８はビデオカメラの動作手順を示すフローチャートである。この動作プログラムは制御マイコン１５内のＲＯＭ（図示せず）に格納されており、制御マイコン１５内のＣＰＵによって実行される。
【００５４】
まず、制御マイコン１５は、ビデオライトモード検出回路１６によってビデオライトモードがＯＮであることが検出されたか否かを判別する（ステップＳ２１）。ビデオライトモードがＯＦＦであることが検出された場合、制御マイコン１５はそのまま本処理を終了する。
【００５５】
一方、ビデオライトモードがＯＮであることが検出された場合、制御マイコン１５はＬＣＤパネル１２を全白表示に切り替える（ステップＳ２２）。ＬＣＤパネル１２が全白表示に切り替えられたビデオライトモードにおいて、制御マイコン１５は、ビデオカメラが記録中であるか否かを判別する（ステップＳ２３）。記録中でない場合、制御マイコン１５は、そのまま本処理を終了する。一方、記録中である場合、制御マイコン１５は、記録中にトリガスイッチ３７が押されたか否かを判別する（ステップＳ２４）。トリガスイッチ３７が押されない場合、制御マイコン１５は、ステップＳ２３の処理に戻る。
【００５６】
一方、記録中にトリガスイッチ３７が押されると、制御マイコン１５は、記録動作を停止し、ビデオライトモードを解除してＬＣＤパネル１２の全白表示を終了させる（ステップＳ２５）。
【００５７】
制御マイコン１５は、タイマ３８の計時によりトリガスイッチ３７が押されてから所定時間が経過したか否かを判別する（ステップＳ２６）。所定時間が経過した場合、制御マイコン１５は、本処理を終了する。一方、所定時間が経過していない場合、制御マイコン１５は、開閉検出スイッチ３１の開閉動作または反転検出スイッチ３２の反転動作を検出したか否かを判別する（ステップＳ２７）。開閉動作または反転動作が検出された場合、制御マイコン１５は、本処理を終了する。
【００５８】
一方、開閉動作および反転動作が検出されない場合、制御マイコン１５は、トリガスイッチ３７が押されたか否かを判別する（ステップＳ２８）。トリガスイッチ３７が押されると、制御マイコン１５は、ステップＳ２２の処理に戻り、ビデオライトモードに復帰し、ＬＣＤパネル１２の全白表示を再開させる。一方、制御マイコン１５は、トリガスイッチ３７が押されない場合、ビデオライトモードを解除したままの状態とし、本処理を終了する。
【００５９】
従って、ステップＳ２６で所定時間が経過したり、ステップＳ２７で開閉検出スイッチ３１の開閉動作または反転検出スイッチ３２の反転動作が検出された場合、ビデオライトモードは解除されたままの状態となる。また、ステップＳ２８でトリガスイッチ３７が押されなかった場合も、ビデオライトモードは解除されたままの状態となる。
【００６０】
このように、第４の実施形態の撮像装置によれば、ビデオライトモードでＬＣＤパネルが全白表示を行っており、かつ記録中である時、トリガスイッチを操作して記録を停止させると同時に、ビデオライトモードを解除することが行われる。その後、所定時間が経過せず、開閉・反転操作が検出されない状態で、再びトリガスイッチが操作されると、ビデオカメラはビデオライトモードに復帰し、ＬＣＤパネルは全白表示となる。これにより、記録動作を行う際、使用者の利便性が向上する。
【００６１】
なお、本発明は、上記実施形態の構成に限られるものではなく、特許請求の範囲で示した機能、または本実施形態の構成が持つ機能が達成できる構成であればどのようなものであっても適用可能である。
【００６２】
例えば、前記第１〜第３の実施形態では、ビデオカメラ本体に設けられた、いずれのキーを操作しても、ビデオライトモードを解除することが可能であるが、ビデオライトモードを解除できるキーを特定の１つのキーに限定してもよい。
【００６３】
また、表示手段として、バックライト方式のＬＣＤパネルを用いているが、有機ＥＬディスプレイなどの自発光型の表示手段を用いてもよい。また、表面電界ディスプレイ（ＳＥＤ）、プラズマディスプレイなどを用いてもよい。
【００６４】
また、上記実施形態では、液晶パネルがカメラ本体の側面に対し、開閉かつ回動自在に設けられていたが、撮像装置はこのような構造に限られるものではない。例えば、カメラ本体の前面と背面とに液晶パネルが着脱自在に取り付けられる撮像装置であってもよい。
【図面の簡単な説明】
【００６５】
【図１】第１の実施形態におけるビデオカメラの構成を示す斜視図である。
【図２】主にＬＣＤパネル１２の制御に係る部分の制御回路の構成を示す図である。
【図３】ビデオカメラの動作手順を示すフローチャートである。
【図４】第２の実施形態における制御回路の構成を示すブロック図である。
【図５】ビデオカメラの動作手順を示すフローチャートである。
【図６】第３の実施形態におけるビデオカメラの動作手順を示すフローチャートである。
【図７】第４の実施形態における制御回路の構成を示すブロック図である。
【図８】ビデオカメラの動作手順を示すフローチャートである。
【符号の説明】
【００６６】
１  ビデオカメラ本体
９  操作キー
１１  ＬＣＤドライブ回路
１２  ＬＣＤパネル
１５  制御マイコン
１６  ビデオライトモード検出回路
１７  キー操作検出回路
２０  ＣＶＦパネル
３１  開閉検出スイッチ
３２  反転検出スイッチ
３３  ＯＳＤ表示回路
３７  トリガスイッチ
３８  タイマ
【図１】
2009130540.tif 000003
【図２】
2009130540.tif 000004
【図３】
2009130540.tif 000005
【図４】
2009130540.tif 000006
【図５】
2009130540.tif 000007
【図６】
2009130540.tif 000008
【図７】
2009130540.tif 000009
【図８】
2009130540.tif 000010